(57)【特許請求の範囲】
【請求項１】
走行機体に連結機構により機枠を連結し、該機枠に旧畦上に土を盛り上げる盛土機構を設け、該盛土機構の上方にカバー部材を設け、該盛土機構の進行方向後方位置に回転整畦体からなる整畦機構を設けてなり、上記盛土機構と上記整畦機構の進行方向中間位置に該整畦機構により整畦される新畦面より旧畦側に突出配置され新畦面の内方に位置する盛土を旧畦土に締圧可能な中締部材をもつ内部締圧機構を設け、該中締部材は畦の一方側面に対面状に回転可能な円錐状の外周面に隆起凸部を複数個形成してなる構造であることを特徴とする整畦機。
【請求項２】
走行機体に連結機構により機枠を連結し、該機枠に旧畦上に土を盛り上げる盛土機構を設け、該盛土機構の上方にカバー部材を設け、該盛土機構の進行方向後方位置に回転整畦体からなる整畦機構を設けてなり、上記盛土機構と上記整畦機構の進行方向中間位置に該整畦機構により整畦される新畦面より旧畦側に突出配置され新畦面の内方に位置する盛土を旧畦土に締圧可能な中締部材をもつ内部締圧機構を設け、該中締部材は縦廻回転軸に設けられて回転方向前方から後方に向かうに従って畦側に近接する複数個の羽根体からなり、該中締部材の該羽根体が新畦面の内方に位置する盛土を徐々に締圧する構造であることを特徴とする整畦機。
【発明の詳細な説明】
【０００１】
【発明の属する技術分野】
本発明は例えば畦の造成作業や修復作業等に用いられる整畦機に関するものである。
【０００２】
【従来の技術】
従来この種の整畦機としては、特開昭５１−１４１２１２号公報、実公昭５１−４７７８５号公報、実開昭５３−１０２４１１号公報、実開昭５３−２０３１６号公報、特開昭５１−１００４０９号公報、実開昭６０−１１９２０９号公報、実開昭６１−１７５９０５号公報、特開昭６１−４７１０３号公報、特開昭６１−２１２２０２号公報、実開昭６２−１５０７号公報、実開昭６１−１５８１０５号公報、実開平３−７９６０５号公報、実開平５−６０２０７号公報に示す構造のものが知られている。
【０００３】
これらの従来構造にあっては、走行機体に連結機構により機枠を上下動可能に連結し、機枠に盛土機構としての旧畦上に土を跳ね上げる回転ロータをその回転軸線を畦造成方向と平行又は交差する方向に設け、機枠に回転ロータの上方及び畦の上方にカバー部材を設け、回転ロータの進行方向後方位置に畦の上面及び畦の一方側面に合わせた形状の整畦体を設け、かつ該走行機体の動力取出軸を駆動源として整畦体を往復畦叩動作させるクランク式又は油圧式の畦叩機構を設け、走行機体を旧畦に沿って走行させ、回転ロータで圃場中の泥土を旧畦上に盛り上げ、この盛土を整畦体の畦叩き動作により叩き付けるようにして構成したものである。
【０００４】
また他の従来構造にあっては、整畦機構として、走行機体の動力取出軸を駆動源として整畦体を振動動作させる振動機構を設けて構成し、旧畦上に盛り上げられた盛土を整畦体の振動動作により締め付けるように構成したものである。
【０００５】
【発明が解決しようとする課題】
しかしながら上記従来構造の場合、地方により相異する畦の土質や天候等の作業条件によっては、必ずしも満足した整畦作業を行い得ないことがあるという不都合を有している。
【０００６】
【課題を解決するための手段】
本発明はこのような不都合を解決することを目的とするもので、本発明のうち、請求項１記載の発明にあっては、走行機体に連結機構により機枠を連結し、該機枠に旧畦上に土を盛り上げる盛土機構を設け、該盛土機構の上方にカバー部材を設け、該盛土機構の進行方向後方位置に回転整畦体からなる整畦機構を設けてなり、上記盛土機構と上記整畦機構の進行方向中間位置に該整畦機構により整畦される新畦面より旧畦側に突出配置され新畦面の内方に位置する盛土を旧畦土に締圧可能な中締部材をもつ内部締圧機構を設け、該中締部材は畦の一方側面に対面状に回転可能な円錐状の外周面に隆起凸部を複数個形成してなる構造であることを特徴とする整畦機にある。
【０００７】
又、請求項２記載の発明は、走行機体に連結機構により機枠を連結し、該機枠に旧畦上に土を盛り上げる盛土機構を設け、該盛土機構の上方にカバー部材を設け、該盛土機構の進行方向後方位置に回転整畦体からなる整畦機構を設けてなり、上記盛土機構と上記整畦機構の進行方向中間位置に該整畦機構により整畦される新畦面より旧畦側に突出配置され新畦面の内方に位置する盛土を旧畦土に締圧可能な中締部材をもつ内部締圧機構を設け、該中締部材は縦廻回転軸に設けられて回転方向前方から後方に向かうに従って畦側に近接する複数個の羽根体からなり、該中締部材の該羽根体が新畦面の内方に位置する盛土を徐々に締圧する構造であることを特徴とする整畦機上記盛土機構の進行方向前方位置に旧畦面を削土可能な削土機構を設けたことを特徴とする整畦機にある。
【０００８】
【発明の実施の形態】
図１乃至図１１は本発明の実施の形態例を示し、この図１乃至図７は第一形態例、図８、９は第二形態例である。
【０００９】
図１乃至図７の第一形態例において、１は走行機体であって、この場合トラクタが用いられ、走行機体１の後部に三点リンク式の連結機構２により機枠３を上下動可能に連結している。
【００１０】
４は盛土機構であって、この場合回転ロータからなる盛土体５から構成され、この盛土体５はロータ胴５ａの外周に複数個の掻上刃５ｂを突設すると共にロータ板５ａに取付軸５ｃを突設してなり、上記機枠３に盛土体５をその回転軸線を畦造成方向と平行にして回転自在に取付け、機枠３に走行機体１に設けられた動力取出軸６により回転する主軸７を軸受し、盛土体５を主軸７より変向用ギヤ列８及びチェーン機構９を介して回転させ、盛土体５により畦際の圃場面の土を削出軌跡Ｎをもって削出して旧畦に向けて跳ね上げて盛り上げるように構成している。
【００１１】
１０はカバー部材であって、この場合上記機枠３に取り付けられ、上記盛土体５の上方及び畦Ｗの上方を覆う形状に形成され、カバー部材１０の畦側に昇降軸１１ａ及びガイドロール１１ｂにより畦の上面Ｗ1に接触して畦の起伏に倣って上下動自在な側部カバー部材１１を取り付けている。
【００１２】
１２は整畦機構であって、この場合畦Ｗの一方側面Ｗ2及び畦の上面Ｗ1を整畦可能な回転整畦体１３を備えてなり、回転整畦体１３は回転機構１４により回転軸線Ｒを中心として図中矢印方向に強制回転される。
【００１３】
この場合、上記回転整畦体１３は、畦Ｗの一方側面Ｗ2を整畦可能な外周面１３ａ、畦の角部Ｗ3側の上面Ｗ1を整畦可能な外周面１３ｂ及び畦Ｗの上面Ｗ1を整畦可能な円筒状の外周面１３ｃを有し、回転軸線Ｒを中心とする横回り回転ロール状に形成されている。
【００１４】
この場合、上記カバー部材１０の後面に軸受台１５を突設し、軸受台１５に駆動軸１６を軸架し、駆動軸１６を主軸７より自在継手１７を介して回転させるように設け、駆動軸１６に回転整畦体１３の軸部１３ｃを取付け、これにより主軸７によって回転整畦体１３を回転軸線Ｒを中心として横回り回転させ、回転整畦体１３の回転すべり接触により畦Ｗの一方側面Ｗ2、畦の上面Ｗ2及び角部Ｗ3を締圧整畦するように構成している。
【００１５】
１８は内部締圧機構であって、上記盛土機構４と上記整畦機構１２の進行方向中間位置に配設され、上記整畦機構１２により整畦される新畦面Ｑより旧畦Ｋ側に突出配置され、新畦面Ｑの内方に位置する盛土Ｄを旧畦土に締圧可能な中締部材１９を備えてなり、この場合、中締部材１９は円錐状の外周面１９ａを有する傘状に形成され、この外周面に隆起凸部１９ｂを複数個形成してなり、上記軸受台１５に歯車箱２０を取付け、歯車箱２０に軸受筒２１を斜設し、この軸受筒２１に回転軸２２を軸受し、この回転軸２２に中締部材１９の中心軸筒１９ｃを突出位置調節自在に挿通固定し、この回転軸２２を上記盛土体５の取付軸５ｃにより歯車箱２１内のギヤ列を介して、図中矢印方向に回転させ、しかして、中締部材１９の作用面は、整畦機構１２により整畦される新畦面Ｑより旧畦Ｋ側に突出配置され、この場合盛土体５の削出軌跡Ｎと新畦面Ｑとの間に配置され、この回転する中締部材１９は新畦面Ｑの内方に位置する盛土Ｄを、外周面１９ａと隆起凸部１９との回転接触作用により捏ねるようにして、旧畦土に締圧することになる。
【００１６】
２３は反力受体であって、この場合薄円盤状に形成され、上記カバー部材１０の後面に軸受筒部２４を垂設し、軸受筒部２４に支持筒２５を上下調節自在に取付け固定し、この支持筒２５に反力受体２３を遊転自在に横設し、反力受体２３の下側部分を圃場Ｍ内に穿入させ、回転整畦体１３による整畦動作によって生ずる整畦反力を受け得るように構成されている。
【００１７】
２６は安定部材であって、この場合車輪状に形成され、上記機枠３の後部に上下調節自在に支持杆２７を取付け、支持杆２７に安定部材２６を取付け、圃場Ｍ上に接地して機枠３の安定走行を図るものである。
【００１８】
２８は削土機構であって、この場合カバー部材１０の進行方向前面にピン２９により保持アーム３０を上下揺動自在に枢着し、保持アーム３０を弾圧用バネ３１ａにより下方に弾圧可能な弾圧機構３１を設け、保持アーム３１の先端部に削土ロータ３２を回転自在に取付け、削土ロータ３２は回転軸３２ａをもつ回転板３２ｂに三個の削土刃３２ｃを取り付けてなり、保持アーム３０に削土ロータ３２の上方を覆うカバー３３を取付け、保持アーム３０に走行機体１に設けられた油圧源により駆動される油圧モータ３４を取付け、油圧モータ３４の主軸と削土ロータ３２の回転軸３２ａとを連結し、上記盛土機構４の回転ロータ５の進行方向前方位置の旧畦の上面部分を削土刃３２ｃにより、削出軌跡Ｓをもって回転削土するように構成したものである。
【００１９】
この実施の第一形態例は上記構成であるから、走行機体１を畦Ｗに沿って走行し、動力取出軸６を回転すると一方では盛土機構４の盛土体５としての回転ロータが畦際の圃場泥土を旧畦上に連続的に跳ね上げて盛り上げ、カバー部材１０及び側部カバー部材１１は盛土体５の上方及び畦側方への泥土飛散を防止し、跳ね上げられた泥土は外方飛散を防がれて自重落下し、他方では整畦機構１２が駆動され、整畦機構１２により盛土は旧畦に締圧されて整畦されることになり、この際、内部締圧機構１８が駆動され、整畦機構１２により整畦される新畦面Ｑより旧畦Ｋ側に突出配置された中締部材１９は新畦面Ｑの内方に位置する盛土Ｄを、この場合その外周面１９ａと隆起凸部１９との回転接触作用により捏ねるようにして、旧畦土に締圧することになり、この締圧された盛土Ｄ上の盛土を整畦機構１２により新畦面Ｑを締圧整畦することになり、このため新畦面Ｑの表層部のみならず内部も締圧することができ、整畦機構１２だけで締圧整畦する構造の場合には表層部のみ締圧されて内部が締圧不足となり易かったのに比べて、締圧されなかった又は不足した内部までも締圧することができ、それだけ盛土全体を締圧することができ、表層部にみならず内部までも堅牢な畦を得ることができ、良好な整畦作業を行うことができる。
【００２０】
又、この場合、整畦機構１２として、畦の一方側面Ｗ2及び畦の上面Ｗ1を整畦可能な回転整畦体１３と、回転整畦体１３を回転させる回転機構１４とにより構成しているから、回転整畦体１３の回転すべり接触により畦Ｗの一方側面Ｗ2、畦の上面Ｗ2及び角部Ｗ3は円滑に締圧整畦され、畦Ｗの上面Ｗ1及び一方側面Ｗ2を良好に整畦することができる。
【００２１】
しかも削土機構２８により旧畦面を予め削土でき、この削土された畦面上に盛土機構４により盛土することになるから、旧畦土と盛土との結着性を高めることができ、それだけ強固な畦を得ることができる。
【００２２】
図８、９の第二形態例も内部締圧機構１８の別例構造を示し、上記第一形態例のものと同一態様部分には同符号を付して説明すると、この場合、上記盛土機構４と上記整畦機構１２の進行方向中間位置に配設され、中締部材１９は回転方向前方から後方に向かうに従って畦側に近接する複数個の羽根体４２を有して形成され、上記回転軸２２に相当する縦廻回転軸４３に中締部材１９の中心軸筒１９ｃを突出位置調節自在に挿通固定し、しかして、中締部材１９の羽根体４２の作用面は、整畦機構１２により整畦される新畦面Ｑより旧畦Ｋ側に突出配置され、この場合盛土体５の削出軌跡Ｎと新畦面Ｑとの間に配置され、この回転する中締部材１９は新畦面Ｑの内方に位置する盛土Ｄを、羽根体４２の回転接触作用により徐々に締圧する締圧動作が断続的になされ、捏ねるようにして、旧畦土に締圧するように構成している。
【００２３】
この第二形態例にあっても、上記第一形態例と同様な作用効果を得ることができる。
【００２４】
尚、本発明は上記実施の形態例に限られるものではなく、例えば盛土機構４として、畦造成方向に対して交差する方向の回転軸線をもつ回転ロータを採用することもでき、また回転機構１７として油圧モータを採用することもでき、適宜変更して設計されるものである。
【００２５】
又、内部締圧機構１８の構造として、他の実施の形態例としては、図示省略したが、扇風機の羽根を耕耘刀に似たものに代えた形態で、畦の側面にほぼ直交する方向の回転軸線をもつ中締部材を形成し、この中締部材の耕耘刀に似た押圧羽根体の回転接触作用により新畦面Ｑの内方に位置する盛土Ｄを、徐々に締圧する締圧動作を断続的になす構造とすることもでき、中締部材１９を含めて適宜変更して設計される。
【００２６】
また、上記実施の形態例における整畦機構１２は、回転整畦体１３の回転滑り接触作用により締圧整畦を行う構造となっているが、この回転整畦体１３に代えて、畦の上面及び一方側面に合うヘ形状の整畦体を畦叩機構としてのクランク機構又は油圧機構により往復畦叩動作させ、盛土を整畦体により叩き締める構造のものや、この整畦体を振動機構としての偏心重錘回転機構や油圧バイブレータ機構により振動させ、盛土を整畦体の振動動作により締め付ける構造のものを適用することも可能である。
【００２７】
又、上記回転整畦体１３を更に油圧式や偏心重錘回転方式の振動機構により振動させたり、又、クランク方式や油圧方式からなる畦叩機構により畦叩き運動させる構造を採用することもある。
【００２８】
【発明の効果】
本発明は上述の如く、請求項１記載の発明にあっては、走行機体に連結機構により機枠を連結し、該機枠に旧畦上に土を盛り上げる盛土機構を設け、該盛土機構の上方にカバー部材を設け、該盛土機構の進行方向後方位置に回転整畦体からなる整畦機構を設けてなり、上記盛土機構と上記整畦機構の進行方向中間位置に該整畦機構により整畦される新畦面より旧畦側に突出配置され新畦面の内方に位置する盛土を旧畦土に締圧可能な中締部材をもつ内部締圧機構を設け、該中締部材は畦の一方側面に対面状に回転可能な円錐状の外周面に隆起凸部を複数個形成してなる構造であるから、走行機体を畦に沿って走行すると一方では盛土機構が圃場泥土を旧畦上に盛り上げ、カバー部材は土飛散を防止し、他方では整畦機構が駆動され、整畦機構により盛土は旧畦に締圧されて整畦されることになり、この際、上記盛土機構と上記整畦機構の進行方向中間位置に配設された内部締圧機構が駆動され、整畦機構により整畦される新畦面より旧畦側に突出配置され、畦の一方側面に対面状に回転可能な円錐状の外周面に隆起凸部を複数個形成してなる中締部材は新畦面の内方に位置する盛土を旧畦土に締圧することになり、この締圧された盛土上の盛土を整畦機構により新畦面を締圧整畦することになり、このため新畦面の表層部のみならず内部までも締圧することができ、それだけ盛土全体を強固に締圧することができ、表層部のみならず内部までも堅牢な畦を得ることができ、良好な整畦作業を行うことができる。
【００２９】
又、請求項２記載の発明にあっては、走行機体に連結機構により機枠を連結し、該機枠に旧畦上に土を盛り上げる盛土機構を設け、該盛土機構の上方にカバー部材を設け、該盛土機構の進行方向後方位置に回転整畦体からなる整畦機構を設けてなり、上記盛土機構と上記整畦機構の進行方向中間位置に該整畦機構により整畦される新畦面より旧畦側に突出配置され新畦面の内方に位置する盛土を旧畦土に締圧可能な中締部材をもつ内部締圧機構を設け、該中締部材は縦廻回転軸に設けられて回転方向前方から後方に向かうに従って畦側に近接する複数個の羽根体からなり、該中締部材の該羽根体が新畦面の内方に位置する盛土を徐々に締圧する構造であるから、走行機体を畦に沿って走行すると一方では盛土機構が圃場泥土を旧畦上に盛り上げ、カバー部材は土飛散を防止し、他方では整畦機構が駆動され、整畦機構により盛土は旧畦に締圧されて整畦されることになり、この際、上記盛土機構と上記整畦機構の進行方向中間位置に配設された内部締圧機構が駆動され、整畦機構により整畦される新畦面より旧畦側に突出配置され、縦廻回転軸に設けられて回転方向前方から後方に向かうに従って畦側に近接する複数個の羽根体からなる中締部材の該羽根体は新畦面の内方に位置する盛土を徐々に締圧することになり、この締圧された盛土上の盛土を整畦機構により新畦面を締圧整畦することになり、このため新畦面の表層部のみならず内部までも締圧することができ、それだけ盛土全体を強固に締圧することができ、表層部のみならず内部までも堅牢な畦を得ることができ、良好な整畦作業を行うことができる。
【００３０】
以上の如く、所期の目的を充分達成することができる。
【図面の簡単な説明】
【図１】  本発明の実施の第一形態例の全体側面図である。
【図２】  本発明の実施の第一形態例の平断面図である。
【図３】  本発明の実施の第一形態例の側面図である。
【図４】  本発明の実施の第一形態例の拡大側断面図である。
【図５】  本発明の実施の第一形態例の後面図である。
【図６】  本発明の実施の第一形態例の前面図である。
【図７】  本発明の実施の第一形態例の部分拡大断面図である。
【図８】  本発明の実施の第二形態例の部分拡大後面図である。
【図９】  本発明の実施の第二形態例の部分拡大平面図である。
【符号の説明】
Ｗ  畦
Ｗ1  上面
Ｗ2  一方側面
Ｑ  新畦面
Ｋ  旧畦
Ｄ  盛土
１  走行機体
２  連結機構
３  機枠
４  盛土機構
１０  カバー部材
１２  整畦機構
１３  回転整畦体
１８  内部締圧機構
１９  中締部材
１９ａ  外周面（外面）
１９ｂ  隆起凸部
４２  羽根体
４３  回転縦軸
【図１】
0003796590.tif 000002
【図２】
0003796590.tif 000003
【図３】
0003796590.tif 000004
【図４】
0003796590.tif 000005
【図５】
0003796590.tif 000006
【図６】
0003796590.tif 000007
【図７】
0003796590.tif 000008
【図８】
0003796590.tif 000009
【図９】
0003796590.tif 000010